(57)【特許請求の範囲】
【請求項１】
両側縁部がギザギザ状に形成された帯状の薄い台紙の中央部に該台紙の幅よりも狭い幅で長手方向に沿って接着剤層が設けられていることを特徴とする壁紙めくれ防止用テープ。
【請求項２】
接着剤層が水で活性化する接着剤を台紙に含浸させることにより形成されている請求項１に記載の壁紙めくれ防止用テープ。
【請求項３】
接着剤ＰＶＡである請求項１又は２に記載の壁紙めくれ防止用テープ。
【発明の詳細な説明】
【０００１】
【発明の属する技術分野】
本発明は、壁面に貼り着けられる壁紙（クロスを含む）の継ぎ目部に配置され、該壁紙の剥離を防止する壁紙めくれ防止用テープに関するものである。
【０００２】
【従来の技術】
建物の壁面に壁紙を貼り付ける場合は、長尺の壁紙の裏面に糊を塗布し、これを所定長さに切断して、一方の端から順に貼り合せている。この場合、先に貼り付けた壁紙と次に貼り付ける壁紙の継ぎ目部は、柄合わせ等のため、端縁部同士を重ね合わせて貼着し、貼着後に、その重なり合った部分に壁紙の端縁部に沿ってナイフ等で切り目を入れて、重なり合った両端部を切り離した後、浮き上がっている端部を壁面に押し付けて再度貼着固定している。
【０００３】
【発明が解決しようとする課題】
しかしながら、この方法では、重ね合わせた上側の壁紙の糊が下側の壁紙の表面に付着するため、下側の壁紙が汚れて美観を損なうという問題点があるほか、上側の壁紙の端部は一旦剥した後再度貼り付けるので、壁面に対する接着強度が低下して剥れ易くなるという問題点もあった。
【０００４】
また、壁の下地として表面に紙を貼り付けた石膏ボードが用いられることが多いが、この場合は、上記重なり合った壁紙の端縁部を切り離す時にボード表面にまで切り目が入るため、ボード表面に貼られている紙がめくれ、その上に貼り付けた壁紙が剥れることが多かった。
【０００５】
このような問題点を改良するものとして、壁の色と同様な色に着色された薄いテープ本体の少なくとも一面に水で活性化する乾燥状態の水溶性接着剤層を設けた壁紙貼着用テープが提案されている（特開平１１−３６５４９号）。このテープは、２枚の壁紙の隣接部に沿って壁紙と壁面との間に介在させることで、２枚の壁紙の縁部に沿って糊が追加され、その接着が強固になるもので、下地と同様な着色を施しているので、壁紙が薄い場合や透けて見える場合でも当該テープ貼着位置が目立たないとされている。
【０００６】
しかしながら、このものは、テープの両縁部が直線状となっていて、しかも厚みのある接着剤層がテープの全幅にわたって形成されているので、テープ本体を薄くしても、その縁部の線が壁紙表面に現れ易く、見栄えが損なわれるおそれがあった。また、壁紙貼り付け時には、水で溶いた糊を塗布するため、作業者の手が水で塗れている場合が多いが、テープの全面に水で活性化する接着剤層が設けられているので、施工に際して作業者が水で濡れた手でさわると、接着剤が活性化し、テープ同士が引っ付いて剥れなくなり、作業性が著しく低下するという問題点もあった。これを防止するには、テープの側縁部に容易に剥すことのできるプラスチック等のカバーを被せておけばよいが、この方法では余分な部材が必要となり、コストが上昇するので好ましくない。そこで本発明は、上記問題点を解決し、取扱に便利で壁紙のめくれを効果的に防止でき、しかも壁紙の隣接部に沿う直線が壁紙表面に現れにくい壁紙めくれ防止用テープを提供することを課題としている。
【０００７】
【課題を解決するための手段】
上記課題を解決するため、本発明はつぎのような壁紙めくれ防止用テープを提供する。すなわち、本発明にかかる壁紙めくれ防止用テープは、両側縁部がギザギザ状に形成された帯状の薄い台紙の中央部に該台紙の幅よりも狭い幅で長手方向に沿って接着剤層が設けられていることを特徴としている。この接着剤層は、台紙の表裏両面に形成されるよう、ＰＶＡ等の水溶性接着剤を台紙に含浸させる方法で形成しておくのが好ましい。
【０００８】
【発明の実施の形態】
以下、本発明の実施の形態について具体的に説明する。図１は本発明の壁紙めくれ防止用テープの１実施形態を表すもので、この壁紙めくれ防止用テープ（以下「テープ」と略称する）１は、帯状の台紙２を備え、該台紙２の幅方向の中央部に該台紙の幅よりも若干狭い範囲で接着剤層３が形成されている。台紙２の幅は例えば３０〜５０ｍｍ程度である。台紙２としては、秤量３０ｇ／ｍ２  以下、好ましくは１０ｇ／ｍ２  程度の薄くて繊維の長い親水性を有する紙、例えばビニロン紙、麻紙等が適している。
【０００９】
台紙２の幅内に設けられている接着剤層３の接着剤としては、この種のテープ用の糊として使用されている公知の接着剤を使用すればよい。実用的には、例えばＰＶＡ（ポリビニールアルコール）のような水溶性接着剤を使用するのが好ましい。ＰＶＡの他にも、ＰＥＯ、イソブテン等を主成分とするものがある。
【００１０】
接着剤層３は、例えば水溶性の接着剤を水で溶いて台紙２に含浸させることにより形成する。台紙２は親水性を有し、水が滲み易いので、上記含浸法によると接着剤が裏面まで浸透し、台紙の表裏両面に接着剤層３が形成される。接着剤の量は、少な過ぎると所期の効果が得られず、逆に多過ぎると無駄であり、台紙の厚みも増して壁紙の継ぎ目が目立つようになるので、いずれも好ましくない。したがって、付着する固形分の量が３〜１５ｇ／ｍ２  程度となるようにするのが好ましい。含浸後は、接着剤層３を乾燥させて所望のテープとする。
【００１１】
このテープ１は、含浸した接着剤層３の両側に、接着剤が含浸されていない台紙部分が露出している。この台紙露出部分２ａ，２ａの幅は、狭過ぎると取扱に不便であり、広過ぎると無駄な部分が多くなって不経済であるとともに、壁紙の裏面部が下地面から浮き上がるおそれがあるので、５〜２０ｍｍ程度とするのが好ましい。なお、台紙の端縁部２ｂの線はランダムなギザギザ状となっている。これは、壁紙の下に貼ったときに、台紙の線が明確に現れないようにするためのものであり、例えば切れ味の悪い刃物で半ばむしり取るように切断することによって形成することができる。なお、台紙露出部分２ａの表面を、外側が次第に薄くなるように研磨紙等で削っておくと、施工後に台紙の両縁部の線が現れにくいのでさらに好ましい。
【００１２】
この壁紙めくれ防止用テープ１は、所定幅の帯状のものであるが、例えば次のようにして製造される。まず、所定幅の帯状の台紙２の幅方向中央部に所定幅で接着剤を含浸させて接着剤層３を形成する。然る後、接着剤の含浸されていない台紙露出部分２ａ，２ａの端縁部２ｂ，２ｂをギザギザ状に切断する。このギザギザ状端縁部２ｂは、平面視鋸刃状ないし波状の不定形であり、まったくランダムな形状でもよく、所定の凹凸形状を繰り返す形状でもよい。
【００１３】
この壁紙めくれ防止用テープ１を製作する場合は、１条ごとに製造してもよいが、幅広の台紙を用意し、適当な間隔で所定幅の接着剤含浸層を複数条形成し、乾燥した後、該接着剤含浸層の間隔部を切れ味の悪い刃物で各条ごとに若干むしり取るように切り離す方法を採用すれば効率よく製造することができる。なお、このテープ１は、ロール状に巻いたものを用意しておき、使用時に必要な長さだけ引き出して切断するようにするのが好ましい。このようにしておくと、保管時や使用時の取り扱いや運搬に便利である。
【００１４】
この壁紙めくれ防止用テープ１を使用する施工法について説明すると、まず、図２に示すように、壁材であるボードＢの表面に端から順に所定幅の壁紙（クロスでもよい）Ｐを、その裏面に水で溶いた糊を塗って貼り付ける。１枚の壁紙を貼り終ると、それに隣接する部分に新たな壁紙Ｐを貼り付けるが、この時、柄合わせや、継ぎ目を美麗に仕上げるために、新たな壁紙の縁部を先に貼った壁紙の縁部上に必要幅だけ重ね合わせて貼り付ける。
【００１５】
次に、図３に示すように、上記重複部分の適当な位置にナイフ等の刃物で切り目Ｃを入れて、両側の端部を切除するとともに、両側の切断端縁部Ｐｔ，Ｐｔを剥して、その下に本件発明のテープ１を貼り付ける。上記壁紙に切り目を入れるときに、下地であるボードＢ表面にも切り目が入るので、テープ１をボードの切り目上に貼り付け、その上から壁紙を貼り付ける。この場合、先に壁紙を貼りつけた時の水分が残っているため、この水分によってテープ１の接着剤層３が活性化し、下地であるボード面に簡単に貼り付けることができる。なお、水分が足りない場合は、接着部に水を塗布しておけばよい。
【００１６】
最後に、図４に示すように、テープ１の上に両側の壁紙の端部同士を突き合わせて貼り付ける。これにより、端縁部同士が美麗に突き合わされた状態で壁紙を貼ることができる。このテープ１は、その両側縁部が明確な直線状ではなく、ギザギザ状になっているとともに、接着剤層の両側部分は薄い台紙のままとなっているので、壁紙の下に貼り付けても端縁部がぼかされた状態となり、その上に貼った壁紙の表面にテープ１の線が現れにくい。また、テープの両側部には所定幅で接着剤の付いていない部分が残されているので、施工時等に作業者が濡れた手で触ってもテープ同士が離れなくなったり、他の物品に引っ付いたりせず、取扱性がよい。
【００１７】
【発明の効果】
以上の説明から明らかなように、本発明の壁紙めくれ防止用テープは、台紙の幅方向の中央部に所定幅で接着剤層が形成され、その両側部は接着剤のついていない台紙露出部分となっているとともに、その端縁部が明確な直線ではなく、ギザギザ状に形成されているので、施工時の作業性が良好であるのみならず、壁紙の継ぎ目が剥れにくくなり、しかも下側のテープの端縁の線が壁紙の表面に現れにくく、美麗な仕上げを得ることが可能となった。
【図面の簡単な説明】
【図１】壁紙めくれ防止用テープの１例の平面図である。
【図２】壁紙を貼り付ける施工法の説明図である。
【図３】壁紙を貼り付ける施工法の説明図である。
【図４】壁紙を貼り付ける施工法の説明図である。
【符号の説明】
１        壁紙めくれ防止用テープ
２        台紙
３        接着剤層
Ｂ        ボード
Ｃ        切り目
Ｐ        壁紙
【図１】
0003593591.tif 000002
【図２】
0003593591.tif 000003
【図３】
0003593591.tif 000004
【図４】
0003593591.tif 000005